(57)【要約】【課題】  ディスクが細断対象物として含まれる場合であっても、細断屑の満杯状態を正確に検出する。【解決手段】  被検出ユニット３９が初期姿勢の状態で細断領域から落下してきた細断屑が当接板４３に衝突すると被検出ユニット３９は矢印Ｆの方向に揺動し、細断屑は当接板４３から屑箱３に滑り落ち、満杯状態となるまでは被検出ユニット３９はその重量バランスにより初期姿勢に復元するように構成した。また、細断屑が被検出ユニット３９の近傍まで堆積した状態で細断屑が落下してくると被検出ユニット３９が矢印Ｅの方向に揺動するが、細断屑が当接板４３から滑り落ちて堆積したときに細断屑の山頂がその時点における当接板４３の高さ位置より高くなると、その細断屑により被検出ユニット３９の初期姿勢への復元動作が規制され、この復元動作の規制により検知板４５の一部がフォトセンサ３８の検知領域Ｔ内に所定時間進入すると満杯状態として検出する。【選択図】      図６
2005131581.tif 000002
【特許請求の範囲】
【請求項１】
筐体上部に配置され、上方から投入されるシート体及びディスク体を細断して細断屑として下方に排出する細断部と、排出された細断屑を堆積状態で収納する前記筐体内の収納部に堆積される収納屑の満杯の有無を検知する検知部とを備えたシュレッダーであって、
前記検知部は、前記筐体上部適所に配設され、山形状に堆積するシート体の細断屑が所定の検知領域内へ進入したことを検知するセンサ部と、前記筐体に設けられた水平軸に揺動可能に支持され前記センサ部の検知領域に対して進退可能な被検知部とから構成されてなり、
前記センサ部は、前記収納部の一側面側の斜め上方から該収納部の上部略中央方向より前記一側面側に向けて所定距離分の検知領域を有する検知媒体を用いて細断屑の満杯の有無を遠隔的に検知する遠隔センサであり、
前記被検知部は、前記細断部の直ぐ下方であって前記収納部の略中央上方に配置され、細断屑の排出落下時に該細断屑が当接する当接片と、前記遠隔センサによって検知可能な被検知片と、前記当接片と被検知片とを取り付け、前記水平軸に揺動自在に支持される揺動基部とを備え、山形状に堆積するディスク体の細断屑の前記当接片への当接力によって前記揺動基部が揺動して前記被検知片が前記検知領域の外から検知領域内に進入することを特徴とするシュレッダー。
【請求項２】
前記当接片と被検知片とは前記揺動方向に鋭角をなして前記揺動基部に取り付けられており、前記揺動基部には、前記当接片を開放時に略水平姿勢とする重量バランス部が設けられていることを特徴とする請求項１に記載のシュレッダー。
【発明の詳細な説明】
【技術分野】
【０００１】
本発明は、紙等のシート体及びディスク体を細断可能にするシュレッダーの技術分野に属し、特に細断屑の満杯状態を検出する技術に関する。
【背景技術】
【０００２】
例えば下記特許文献１に記載されているような紙等の細断対象物を細断するシュレッダーには、通常、細断対象物を細断して生じた細断屑を収納する屑箱が細断屑で満杯になったことを検出する満杯検出装置が備えられる。
【０００３】
従来の満杯検出装置は、図９に示すように、投光器５０及び受光器５１を屑箱５２の上方であって細断動作により生じた細断屑が屑箱５２に落下する経路を挟んで左右に対向配置し、屑箱５２内に堆積してなる屑山の頂上が所定の高さになると、投光器５０から出力される光がその屑山の存在により遮断されることで、屑箱５２内に細断屑が満杯となったことを検出する所謂透光型センサを用いて構成したものがある。
【０００４】
また、従来から知られている他の満杯検出装置として、図１０に示すように、投光器５３及び受光器５４を屑箱５５の上方であって略同じ位置に配置し、屑箱５５内に堆積してなる屑山の頂上が所定の高さになると、投光器５３から出力される光がその屑山から反射され、受光器５４がその反射光を受光することで、屑箱５５内に細断屑が満杯となったことを検出する所謂反射型センサを用いて構成したものもある。
【特許文献１】特開２００２−１８３０２号公報
【発明の開示】
【発明が解決しようとする課題】
【０００５】
しかしながら、前者の満杯検出装置においては、投受光器５０，５１を屑箱５２の上方に配置するため、満杯状態を検出したときの屑山の高さは、屑箱５２の上縁部より高くなる。そのため、細断屑を廃棄するべく屑箱５２をシュレッダーから取り出したときに、細断屑が屑箱５２から零れやすくなるという不具合がある。
【０００６】
後者の満杯検出装置においては、通常、満杯状態を検出するときの屑山の高さが屑箱５５の上縁部より低く設定されるため上記のような不具合が生じることは少ないが、シュレッダーがフロッピーディスク（登録商標、以下、ＦＤという）やコンパクトディスク（以下、ＣＤという）等のディスク体を細断できる装置である場合、ディスクは黒系の色の材質で構成されていることが多く、このディスクを細断して生じた細断屑から適度な反射光が得られないことがある。
【０００７】
また、コストを抑制するべく出力（光の強さ）が比較的小さな発光器５３を用いるときには、屑箱５５に堆積した屑山のうち、該発光器５３から比較的遠い部分に光を出力することは困難であり、屑箱５５の壁に比較的近い部分に光を出力することとなる。ここで、紙等の紙葉類の細断屑は、屑箱５５全体に万遍なく広がるように堆積する傾向があり特に問題は生じないのに対し、ディスクの細断屑は、細断部からの落下地点周辺に集中して堆積する傾向にあるため、満杯状態を検出したときには屑山の山頂の高さは屑箱５５の上縁部より高くなっているという状態が発生し、正確に満杯状態を検出することが難しい。このように、満杯状態を正確に検出できないと、細断して堆積した細断屑で形成される山が高くなったときに、細断動作を行う細断装置に細断屑が巻き込み、細断動作を確実に行うことができなくなるなどの問題が生じる。
【０００８】
本発明は、このような事情に鑑みてなされたものであり、シート体及びディスク体の細断屑の満杯状態を正確に検出することのできるシュレッダーを提供することを目的とする。
【課題を解決するための手段】
【０００９】
請求項１に記載の発明は、筐体上部に配置され、上方から投入されるシート体及びディスク体を細断して細断屑として下方に排出する細断部と、排出された細断屑を堆積状態で収納する前記筐体内の収納部に堆積される収納屑の満杯の有無を検知する検知部とを備えたシュレッダーであって、前記検知部は、前記筐体上部適所に配設され、山形状に堆積するシート体の細断屑が所定の検知領域内へ進入したことを検知するセンサ部と、前記筐体に設けられた水平軸に揺動可能に支持され前記センサ部の検知領域に対して進退可能な被検知部とから構成されてなり、前記センサ部は、前記収納部の一側面側の斜め上方から該収納部の上部略中央方向より前記一側面側に向けて所定距離分の検知領域を有する検知媒体を用いて細断屑の満杯の有無を遠隔的に検知する遠隔センサであり、前記被検知部は、前記細断部の直ぐ下方であって前記収納部の略中央上方に配置され、細断屑の排出落下時に該細断屑が当接する当接片と、前記遠隔センサによって検知可能な被検知片と、前記当接片と被検知片とを取り付け、前記水平軸に揺動自在に支持される揺動基部とを備え、山形状に堆積するディスク体の細断屑の前記当接片への当接力によって前記揺動基部が揺動して前記被検知片が前記検知領域の外から検知領域内に進入することを特徴とするシュレッダーである。
【００１０】
請求項２に記載の発明は、請求項１に記載のシュレッダーにおいて、前記当接片と被検知片とは前記揺動方向に鋭角をなして前記揺動基部に取り付けられており、前記揺動基部には、前記当接片を開放時に略水平姿勢とする重量バランス部が設けられているものである。
【発明の効果】
【００１１】
請求項１に記載の発明によれば、被検知部は、前記細断部の直ぐ下方であって前記収納部の略中央上方に配置され、細断屑の排出落下時に該細断屑が当接する当接片と、前記遠隔センサによって検知可能な被検知片と、前記当接片と被検知片とを取り付け、前記水平軸に揺動自在に支持される揺動基部とを備え、山形状に堆積するディスク体の細断屑の前記当接片への当接力によって前記揺動基部が揺動して前記被検知片が前記検知領域の外から検知領域内に進入するように構成したので、シート体及びディスク体の細断屑の満杯状態を正確に検出することができる。また、シート体及びディスク体の両者の層が混在している場合でも、満杯状態の検出が可能となる。
【００１２】
請求項２に記載の発明によれば、シート体については被検知部を用いることなく満杯状態を検出するようにすべく、当接片と被検知片とは前記揺動方向に鋭角をなして前記揺動基部に取り付け、被検知片を、センサ部の検知領域から遠ざけるように構成した場合、前記揺動基部に、当接片を開放時に略水平姿勢とする重量バランス部を設けるようにしたので、当接片への細断屑の当接後、該当接片を開放時に略水平姿勢に復元させるためのモータ等の装置を別途備える必要が無くなる。
【発明を実施するための最良の形態】
【００１３】
以下、本発明に係るシュレッダーの実施形態を図面に基づいて説明する。図１は、本実施形態のシュレッダーの外観斜視図である。以下の説明においては、矢印Ａの方向を前というものとする。
【００１４】
図１に示すように、シュレッダー１は、紙等の紙葉類だけでなくフロッピーディスク（登録商標）やコンパクトディスク等の記録媒体としてのディスク体も細断可能とされており、上面に設けられた投入口２から投入された前述の細断対象物を、その投入口２の下方に配置された後述の細断部１５（図３、図４参照）により細断し、その細断動作により生じた細断屑を、前記細断部の下方において収納された屑箱３に堆積していくように構成された装置である。なお、図１は、細断部１５のうち後述の第１、第２カッター２８，２９のみを点線で示すとともに、屑箱３をシュレッダー１本体から引き出した状態を示している。
【００１５】
シュレッダー１は、上面が開閉蓋４、前面が開閉扉５に構成された筺体である。開閉蓋４は、奥側の端部が回動自在に軸支され、手前側が上方に開放可能にされて細断部１５を含む装置内部が露出するようになっている。開閉蓋４の上面には、シュレッダー１の電源のオン／オフを切り換える電源ボタン６と、細断対象物を投入するための投入口２と、細断動作中である旨を報知するための細断ランプ７と、屑箱３に細断屑が満杯状態となったことや、細断能力以上の紙が投入口２に投入された場合に一旦装置内部に引き込んだ紙を再度外部に排出することを報知するための停止／逆転ランプ８とが備えられている。
【００１６】
図２は、投入口２の部分の構成を示す図であり、図２（ａ）は、投入口２を構成するガイド部材９及びディスク投入ガイド板１０の平面図、図２（ｂ）は、図２（ａ）のＢ−Ｂ線矢視図である。
【００１７】
図２に示すように、投入口２は、外方から細断部１５に向かって開口部が細くなるように斜面が形成された断面漏斗状のガイド部材９とディスク投入ガイド板１０を備えて構成されている。ディスク投入ガイド板１０は、ガイド部材９のうち投入口２を構成する一方の斜面に、ガイド部材９の開口部を開放する開放姿勢（矢印Ｃ）と前記開口部を閉塞する閉塞姿勢（矢印Ｄ）との間で螺番１０ａにより回動自在に取り付けられている。また、ディスク投入ガイド板１０には、細断するディスクの大きさに応じた複数のガイド孔１１〜１３が適所に形成されている。
【００１８】
このような投入口２の構造においては、紙等の紙葉類を細断するとき、ディスク投入ガイド板１０を開放姿勢にしてその紙葉類（シート体）を投入口２に投入する。このとき、ガイド部材９が断面漏斗状に形成されているので、紙葉類の束を容易に投入することができるとともに、投入された紙葉類が細断部１５に適正にガイドされる。一方、ディスク（ディスク体）を細断するときには、ディスク投入ガイド板１０を閉塞姿勢にして対応するガイド孔にディスクを投入する。このように、ディスクを細断する場合に、ディスクの投入をガイドするガイド孔１１〜１３の部分を除いてガイド部材９の開口部の略全体を閉塞するようなディスク投入ガイド板１０を備えることで、細断時にディスクの破片が投入口２から飛散するのを防止するようにしている。
【００１９】
図１に戻り、シュレッダー１の前面は、一側方が回動自在に軸支された状態で開閉する開閉扉５が設けられており、この開閉扉５を開放することで、細断部１５の下方に設けられた屑箱収納部１４から、細断屑が堆積される屑箱３が引き出し可能となる。
【００２０】
投入口２と屑箱収納部１４との間には、投入口２に投入された紙葉類やディスクの細断を行う細断部１５が配設されている。図３は、細断部１５の構成を示す平面図である。
【００２１】
図３に示すように、細断部１５は、モータユニット１６と、動力伝達機構１７と、カッターユニット１８と、セパレータ１９とを備えて構成されている。モータユニット１６は、平面視でコ字状に形成された本体フレーム２０〜２２のうち奥側に位置するフレーム２０の内壁面に取り付けられたモータ２３と、このモータ２３で発生した回転駆動力を所定の減速比で減速する減速機２４とを備えてなる。
【００２２】
動力伝達機構１７は、減速機２４の出力をカッターユニット１８に伝達するものであり、減速機２４の出力軸とカッターユニット１８（後述の第１カッター２８）の一端部にそれぞれ取り付けられたスプロケット２５，２６と、これらのスプロケット２５，２６に懸架されたチェーン２７とを備えて構成されている。これにより、第１カッター２８に動力伝達機構１７を介して駆動力が伝達される。
【００２３】
カッターユニット１８は、本体フレーム２０〜２２のうち両側方に位置するフレーム２１，２２に回転可能に支持された長尺状の第１カッター２８及び第２カッター２９を有する。第１、第２カッター２８，２９のフレーム２１側の端部には、ギヤ３０，３１が互いに噛合した状態で取り付けられており、第２カッター２９は、これらのギヤ３０，３１を介して第１カッター２８に同一速度で従動回転し、且つ上方から見て、第１、第２カッター部材２８、２９が互いの方向に回るように逆回転される。
【００２４】
第１、第２カッター２８，２９は、所定径の軸体に対して一定の間隔で穿設されることで、一定の厚みを有する大径部が軸方向に一定間隔で形成され、さらにこの大径部を周方向に一定間隔で穿設することで複数枚の細断刃３２，３３が形成されてなり、各細断刃が細断領域Ｌで相手側カッターの細断刃の間隙に入り込むように配置されている。また、図４に示すように、細断刃３２間，細断刃３３間の凹部３４，３５は、細断領域Ｌで互いの細断刃が噛み合うように、周方向における山部及び凹部の位相が設定されている。このように、山部と凹部とが細断領域Ｌで噛み合うことで細断対象物を細断する。
【００２５】
図３に戻り、セパレータ１９は、第１、第２カッター２８，２９にそれぞれ形成された細断刃３２，３３の互いに隣接する刃間の各間隙における周方向の所定位置に所定の部位が嵌入する構造を備えた部材であり、細断刃３２，３３の各間隙に挟まった細断屑を前記所定位置で除去する。なお、図３において、支持軸３６は、セパレータ１９を本体フレーム２１，２２に固定するための部材であり、また、図４では、第１、第２カッター２８，２９のみを図示し、セパレータ１９は省略している。
【００２６】
以上の構成に加えて、細断部１５には、屑箱３に細断屑が満杯になったことを検出する満杯検出機構３７が備えられている。図４は、満杯検出機構３７の構成を示す側面図、図５は、被検出ユニット３９の斜視図である。なお、図４に示す矢印Ａの方向は、図１に示す矢印Ａの方向に対応する。
【００２７】
図４に示すように、満杯検出機構３７は、フォトセンサ３８と、被検出ユニット３９とを備える。
【００２８】
フォトセンサ３８は、前面側の本体フレーム４０であって装置の左右方向略中央部に取り付けられており、放射状に光を出力する発光部と該発光部の近傍位置で反射光を受光する受光部とを備えて構成された反射型センサである。フォトセンサ３８は、発光点から所定距離離間した位置まで放射状に広がる検出領域Ｔ、つまり受光部における検知レベルが設定されており、紙葉類の細断屑が満杯状態であると判断すべき高さは、屑箱３の上縁部より低い位置であって検出領域Ｔ内に設定されている。これにより、紙葉類の細断屑が前記所定の高さまで堆積すると、屑箱３が満杯状態になったものと検出される。
【００２９】
被検出ユニット３９は、第１、第２カッター２８，２９の下方において、両側方の本体フレーム２１，２２に架け渡された揺動支持軸４１に揺動自在に軸支されており、図４、図５に示すように、軸受部材４２と、当接板４３と、支持部材４４と、検知板４５とを有して構成されている。なお、軸受部材４２、当接板４３及び検知板４５は、それぞれ特許請求の範囲における揺動基部、当接片及び被検知片に相当する。
【００３０】
軸受部材４２は、被検出ユニット３９が揺動支持軸４１の周りで揺動可能となるように、シュレッダー１の左右両側方において軸受け機能を果たす略Ｖ字状に形成された部材である。通常被検出ユニット３９がその重量バランスにより、当接板４３が細断位置Ｌのすぐ下方に位置する（図４の矢印Ｅ）ような略水平姿勢となるように、軸受部材４２には、その重量バランスをとるためのバランス部材が嵌入される貫通孔４２ａが形成されている。バランス部材は図示していないが、所要の形状のものが採用可能であるが、本実施形態では長軸状の部材であり、両端が前記貫通孔４２ａに嵌入して支持される。
【００３１】
当接板４３は、軸受部材４２の一方の延設部４２ｂに取り付けられた長板状の部材であり、解放時（自由状態）では細断位置Ｌのすぐ下方に位置し、細断位置Ｌから落下してきた細断屑が当接する。細断対象物が投入口２の左右いずれかに偏って投入されても、落下する細断対象物が当接板４３に当接するように、また、堆積した細断屑が屑箱３に満杯に堆積したときに、その堆積した部分が左右に偏っても、該堆積部分により被検出ユニット３９の元の位置への揺動（復元）が規制される（これについては後述する）ように、当接板４３は、カッターユニット１８の略右端から左端まで延びるように形成されている。
【００３２】
支持部材４４は、両端が軸受部材４２の他方の延設部４２ｃに取り付けられた略Ｌ字状の断面を有する長尺状の部材である。
【００３３】
検知板４５は、支持部材３３の左右方向略中央部であって、側面から見たときに当接板４３とで略Ｖ字状をなすように支持部材３３の一方の面にネジ留めにより取り付けられた板状の部材であり、少なくともフォトセンサ３８と対向する面には光反射処理が施され、あるいは光反射性の高い材料で製造されている。検知板４５は、被検出ユニット３９が矢印Ｅに示す姿勢から矢印Ｆに示すように揺動支持軸４１の周りを所定角度揺動したときに、下端部がフォトセンサ３８の検出領域Ｔに進入するように構成されている。なお、検知板４５は、被検出ユニット３９が所定角度揺動したときにフォトセンサ３８の検出領域Ｔに進入する部位があればよいことから、支持部材４４等に比して左右方向に短い形状とされている。
【００３４】
ここで、紙葉類の細断屑の満杯状態については、検知板４５を利用することなくフォトセンサ３８のみで検知できるようにするため、検知板４５が検知領域Ｔから比較的遠ざかるように、検知板４５は、側面から見て当接板４３に対し鋭角をなして略Ｖ字状に取り付けられている。
【００３５】
次に、満杯検出機構３７による紙の満杯検出動作と、ディスクまたは紙とディスクの混在時の満杯検出動作とについて説明する。図６は、被検出ユニット３９の構成を概略的に表して、被検出ユニット３９の動作を含む満杯検出機構３７の満杯検出動作を模式的に示した図である。
【００３６】
まず、細断部１５により細断対象物の細断動作を行っておらず、紙の細断屑またはディスクもしくは紙とディスクが混在した細断屑で屑箱３が満杯状態となっていないときには、当接板４３は、被検出ユニット３９の重量バランスにより第１、第２カッター２８，２９による細断領域Ｌ（図４参照）の略真下に位置する。以下、当接板４３がこの位置するときの被検出ユニット３９の姿勢を初期姿勢という。
【００３７】
また、図６（ａ）に示すように、細断領域Ｌから細断屑が当接板４３に落下してくると、図６（ｂ）に示すように、細断屑から受ける力により被検出ユニット３９は矢印Ｆの方向に揺動する。これにより、細断屑は屑箱３に向けて当接板４３から滑り落ちて行く。このとき、検出板４４の下端部が瞬間的にフォトセンサ３８の検出領域Ｔ内に進入したとしても、後述するように、該検出領域Ｔに或る一定の時間継続して進入した場合に満杯状態として検出されるように設定しているため、この場合には満杯状態として検出されない。そして、屑箱３内の細断屑が満杯状態となるまでは、図６（ｃ）に示すように、被検出ユニット３９はその重量バランスにより初期姿勢に復元する。
【００３８】
ここで、前述したように、紙のみの細断屑は満遍なく堆積する傾向にあり屑山はほとんど形成されないため、被検知板４５による満杯検知動作が行われることは少なく、細断屑の上面がフォトセンサ３８の検知領域Ｔ内に進入したときに、屑箱３が満杯状態になったものと検出される。
【００３９】
一方、図６（ｄ）に示すように、ディスクもしくはディスクと紙が混在した細断屑が屑箱３に被検出ユニット３９の近傍まで堆積した状態となった場合、図６（ｅ）に示すように、上記と同様、落下してきた細断屑から受ける力により被検出ユニット３９が矢印Ｅの方向に揺動し、細断屑は屑箱３に向けて当接板４３から滑り落ちて堆積するが、図６（ｆ）に示すように、その滑り落ちて堆積した細断屑の山頂がその時点における当接板４３の高さ位置より高くなると、その細断屑の存在により、被検出ユニット３９の初期姿勢への復元動作が規制される。そして、被検出ユニット３９の初期姿勢の復元動作が規制され、検知板４５の一部がフォトセンサ３８の検知領域Ｔ内に所定時間進入すると、検知板４５が発光部からの光を受光部に所定時間反射するため、屑箱３が満杯状態になったものと検出される。これにより、細断部１５からの落下地点周辺に集中して堆積する傾向にあるディスクもしくはディスクと紙が混在した細断屑の満杯状態を検出することができる。
【００４０】
図７は、シュレッダー１の電気的な構成を示すブロック図である。図７に示すように、シュレッダー１は、図１〜図４にそれぞれ示したものに相当する電源ボタン６、細断ランプ７、停止／逆転ランプ８、モータ２３、第１カッター２８及びフォトセンサ３８と、例えば制御プログラムを記憶するＲＯＭや一時的にデータを記憶するＲＡＭからなる記憶部が内蔵されたマイクロコンピュータからなる制御部４６とを備える。
【００４１】
制御部４６は、上述した細断ランプ７、停止／逆転ランプ８、モータ２３及びフォトセンサ３８の駆動を関連付けて制御するべく、機能的に、検知信号受信部４７と細断制御部４８と点灯制御部４９とを備える。
【００４２】
検知信号受信部４７は、投入口２に細断対象物が投入されると、図略の投入検知センサから出力される投入検知信号を受信するとともに、フォトセンサ３８から出力される満杯検知信号（検知板４５又は紙葉類の細断屑の検出信号）を受信するものである。
【００４３】
細断制御部４８は、検知信号受信部４７により投入検知信号が受信されると、細断部１５に細断動作を行わせるべくモータ２３を正回転させるとともに、検知信号受信部４７により所定時間（例えば３秒）継続して満杯検知信号が受信されると、細断部１５による細断動作を禁止するものである。その際、前記所定時間経過した時点で細断部１５による細断動作が行われているときには、細断制御部４８は、投入された細断対象物を投入口２から外部に排出するべくモータ２３を逆回転させる。また、満杯検知信号の受信状態が前記所定時間継続しないときには、細断制御部４８は、細断部１５による細断動作を許可する。細断制御部４８は、満杯検知信号の受信時間を測定するためのタイマ（図示せず）を備えている。
【００４４】
点灯制御部４９は、細断制御部４８により細断部１５の細断動作が停止されたことを受けて、その旨を報知するべくシュレッダー１の上面に設けられた停止／逆転ランプ７を点灯させるものである。
【００４５】
図８は、シュレッダー１の満杯検出処理を示すフローチャートである。
【００４６】
図８に示すように、検知信号受信部４７が投入検知信号を受信すると（ステップ♯１でＹＥＳ）、細断制御部４８は、タイマによりその投入検知信号の受信時間の測定を開始する（ステップ♯３）。そして、検知信号受信部４７により投入検知信号が受信中であるか否かを判定し（ステップ♯５）、受信中でないとき（ステップ♯５でＮＯ）には、細断制御部４８は、タイマをリセットする一方、受信中であるとき（ステップ♯５でＹＥＳ）には、細断制御部４８は、タイマをカウントアップする（ステップ♯７）。
【００４７】
次に、細断制御部４８は、このタイマのカウント値により、検知信号受信部４７による投入検知信号の受信時間が所定時間継続したか否かを判定し（ステップ♯１１）、前記受信時間が所定時間継続していないとき（ステップ♯１１でＮＯ）には、ステップ♯５の処理に戻る一方、前記受信時間が所定時間継続すると、すなわち検知板４５が検知領域Ｔに所定時間継続して進入すると（ステップ♯１１でＹＥＳ）、細断制御部４８は、屑箱３が満杯状態になったものと判定し（ステップ♯１３）、細断部１５による細断動作を禁止するべく、モータ２３の駆動を行わない又はモータ２３を逆回転させる（ステップ♯１５）。また、点灯制御部４９は、細断制御部４８により細断部１５の細断動作が禁止された旨を報知するべく、停止／逆転ランプ８を点滅させる（ステップ♯１７）。
【００４８】
以上のように、前述したような構成を有する被検出ユニット３９を備え、堆積した細断屑の山頂が揺動したときの当接板４３の高さ位置より高くなると、その細断屑の存在により、被検出ユニット３９の初期姿勢への復元動作が規制され、この復元動作の規制により検知板４５の一部がフォトセンサ３８の検知領域Ｔ内に所定時間進入すると、屑箱３が満杯状態になったものと検出されるように構成したので、細断部１５からの落下地点周辺に集中して堆積する傾向にあるディスクの細断屑又は紙葉類の細断屑とディスクの細断屑とが混在したものであっても、細断屑の満杯状態を正確に検出することができる。
【００４９】
また、検知板４５が当接板４３に対し鋭角をなして略Ｖ字状に取り付けられた被検出ユニット３９において、当接板４３が細断部１５の直ぐ下方で水平姿勢となるようにバランス部材により重量バランスをとるように構成したので、モータ等の駆動装置を備えることなく、当接板４３への細断屑の当接後、開放状態の当接板４３を略水平姿勢に復元させることができる。
【００５０】
なお、本発明は、前述の実施形態に限らず、次の変形形態（１）〜（４）が採用可能である。
【００５１】
（１）上記実施形態では、フォトセンサ３８を用いたが、これに限られず、赤外線や超音波等を検知媒体とするセンサを利用することも可能である。
【００５２】
（２）被検出体として光反射性を備えた検知板４５を採用したが、この検知板４５に代えて、例えば、出力（光の強さ）が比較的大きな発光器を用いた場合には、光をほとんど吸収する光吸収性を備え、前記検知板４と略同様の形状を有し且つ略同様に動作する検知板を採用し、満杯にならない状態では細断屑からの反射光を受光して非満杯状態の検出を行い、満杯状態となるとその検知板が投光器から細断屑に向けて出力される光を吸収して反射を遮断することで満杯状態の検出を行うように構成された部材を採用してもよい。
【００５３】
（３）細断動作により生じる紙粉やディスク粉が該細断動作で発生する静電気により帯電し、その帯電した粉塵が屑箱３上を浮遊してフォトセンサ３８に付着するのを考慮し、例えば、検知板４５の長さを長く形成して、満杯状態に近くなると、その検知板４５により粉塵をフォトセンサ３８から遮断するようにするとよい。そして、検知板４５の長さを長く形成することにより、屑箱３を屑箱収納部１４から取り出すときに検知板４５が屑箱３に引っ掛かる場合には、検知板４５を、例えばポリカーボネートやゴム等、柔軟性を有し、帯電しにくい素材で構成するとよい。
【００５４】
（４）上記実施形態では、フォトセンサ３８により検出される被検出部材として、別個の部材（軸受部材４２及び当接板４３を有する部材と検知板４５）で構成したが、それぞれの機能を果たす部分を有して一体形成されたものであってもよい。
【図面の簡単な説明】
【００５５】
【図１】本発明に係るシュレッダーの一実施形態を示す外観斜視図である。
【図２】（ａ）は、投入口を構成するガイド部材の平面図、（ｂ）は、（ａ）のＢ−Ｂ線矢視図である。
【図３】細断部の構成を示す平面図である。
【図４】満杯検出機構の構成を示す側面図である。
【図５】被検出ユニットの斜視図である。
【図６】被検出ユニットの構成を概略的に表して、被検出ユニットの動作を含む満杯検出機構の満杯検出動作を模式的に示した図である。
【図７】シュレッダーの電気的な構成を示すブロック図である。
【図８】シュレッダーの満杯検出処理を示すフローチャートである。
【図９】従来の満杯検出装置の構成を示す図である。
【図１０】同じく従来の満杯検出装置の構成を示す図である。
【符号の説明】
【００５６】
１  シュレッダー
２  投入口
３  屑箱
８  停止／逆転ランプ
９  ガイド部材
１０  投入ガイド板
１１〜１３  ガイド孔
１４  屑箱収納部
１５  細断部
１８  カッターユニット
２８  第１カッター
２９  第２カッター
３２，３３  細断刃
３７  満杯検出機構
３８  フォトセンサ
３９  被検出ユニット
４３  当接板
４４  検知板
４６  制御部
４７  検知信号受信部
４８  細断制御部
４９  点灯制御部
【図１】
2005131581.tif 000003
【図２】
2005131581.tif 000004
【図３】
2005131581.tif 000005
【図４】
2005131581.tif 000006
【図５】
2005131581.tif 000007
【図６】
2005131581.tif 000008
【図７】
2005131581.tif 000009
【図８】
2005131581.tif 000010
【図９】
2005131581.tif 000011
【図１０】
2005131581.tif 000012